(57)【要約】【課題】繰り返し使用可能な加熱用袋を提供する。【解決手段】加熱用袋１０は、ポリオレフィン系樹脂からなる発泡体層２４を有するシート１２で袋状に構成され、内側に物品を収納可能な袋本体１４と、袋本体１４の放圧用開口部１６に延在するように設けられ、該放圧用開口部１６を開閉可能な内開きチャック２０とを備えている。内開きチャック２０は、該内開きチャック２０を挟んで袋本体１４の内側から力を加えて該内開きチャック２０を開くときに要する内側開放力が、該内開きチャック２０を挟んで袋本体１４の外側から力を加えて該内開きチャック２０を開くときに要する外側開放力よりも小さくなるように構成されている。【選択図】図２
2019206367.tif 000002
【特許請求の範囲】
【請求項１】
ポリオレフィン系樹脂からなる発泡体層を有するシートで袋状に構成され、内側に物品を収納可能な袋本体と、
前記袋本体の開口部に延在するように設けられ、該開口部を開閉可能な内開きチャックと、を備え、
前記内開きチャックは、該内開きチャックを挟んで前記袋本体の内側から力を加えて該内開きチャックを開くときに要する内側開放力が、該内開きチャックを挟んで前記袋本体の外側から力を加えて該内開きチャックを開くときに要する外側開放力よりも小さくなるように構成されている
ことを特徴とする加熱用袋。
【請求項２】
前記内開きチャックは、
前記開口部を通る前記袋本体の内外方向へ互いに離れる向きに突出する一対の係止爪を有する係止部と、
前記開口部を通る前記袋本体の内外方向へ互いに近づく向きに突出する一対の受爪を有し、該一対の受爪の間に前記係止部を受け入れ可能な係止受部と、を備え、
前記内開きチャックは、前記一対の係止爪のうち前記袋本体の内側に向けて突出する内係止爪と、前記一対の受爪のうち前記袋本体の外側に向けて突出する内受爪とが引っ掛かると共に、前記一対の係止爪のうち前記袋本体の外側に向けて突出する外係止爪と、前記一対の受爪のうち前記袋本体の内側に向けて突出する外受爪とが引っ掛かって、前記開口部を封止し、
前記内開きチャックは、前記内係止爪と前記内受爪との引っ掛かりが、前記外係止爪と前記外受爪との引っ掛かりよりも外れ易く構成されている請求項１記載の加熱用袋。
【請求項３】
前記開口部と別に前記袋本体に形成された別の開口部に延在するように設けられ、該別の開口部を開閉可能な外開きチャックを備え、
前記外開きチャックは、該外開きチャックを挟んで前記袋本体の外側から力を加えて該外開きチャックを開くときに要する外側開放力が、該外開きチャックを挟んで前記袋本体の内側から力を加えて該外開きチャックを開くときに要する内側開放力よりも小さくなるように構成されている請求項１または２記載の加熱用袋。
【請求項４】
前記内開きチャックおよび前記外開きチャックは、開閉する前記開口部全体に延在するように設けられ、
前記内開きチャックは、その延在長さが前記外開きチャックよりも短い請求項３記載の加熱用袋。
【請求項５】
前記シートは、前記発泡体層に加えて、ソリッドタイプの合成樹脂および紙の中から少なくとも１つ選択される機能層を備える積層構造である請求項１〜４の何れか一項に記載の加熱用袋。
【請求項６】
前記発泡体層は、セル径が５０μｍ〜３００μｍで、密度が４０ｋｇ／ｍ３〜６０ｋｇ／ｍ３で、熱伝導率０．０２６ｗ／(ｍ・ｋ)〜０．０４０ｗ／(ｍ・ｋ)の連続気泡構造の発泡体で構成されている請求項１〜５の何れか一項に記載の加熱用袋。
【発明の詳細な説明】
【技術分野】
【０００１】
この発明は、物品を収納した状態で電子レンジ等によって加熱可能な加熱用袋に関するものである。
【背景技術】
【０００２】
包装袋として、調理済み冷凍食品やチルド食品等を収納したまま、電子レンジで加熱調理可能なものがある(例えば、特許文献１参照)。このような包装袋は、加熱時に発生する水蒸気によって膨張して破裂することで、内容物が飛散したり、電子レンジを汚したりするなどの問題がある。そこで、特許文献１には、合掌背貼り部のシール強度を他の熱シール部のシール強度より小さくすることで、加熱したときに合掌背貼り部を開口し易くし、合掌背貼り部から水蒸気を逃がすことを提案している。
【先行技術文献】
【特許文献】
【０００３】
【特許文献１】特開２００２−６８３２０号公報
【発明の概要】
【発明が解決しようとする課題】
【０００４】
特許文献１の包装袋は、水蒸気を逃がすために合掌背貼り部が壊れてしまうので、繰り返し使用することができない。
【０００５】
本発明は、従来の技術に係る前記問題に鑑み、これらを好適に解決するべく提案されたものであって、繰り返し使用できる加熱用袋を提供することを目的とする。
【課題を解決するための手段】
【０００６】
前記課題を克服し、所期の目的を達成するため、本発明の加熱用袋は、
ポリオレフィン系樹脂からなる発泡体層を有するシートで袋状に構成され、内側に物品を収納可能な袋本体と、
前記袋本体の開口部に延在するように設けられ、該開口部を開閉可能な内開きチャックと、を備え、
前記内開きチャックは、該内開きチャックを挟んで前記袋本体の内側から力を加えて該内開きチャックを開くときに要する内側開放力が、該内開きチャックを挟んで前記袋本体の外側から力を加えて該内開きチャックを開くときに要する外側開放力よりも小さくなるように構成されていることを要旨とする。
【発明の効果】
【０００７】
本発明に係る加熱用袋によれば、閉じている内開きチャックが加熱による内圧上昇によって開いて内圧を逃すので、袋の破裂を防止することができる。そして、内開きチャックを閉じれば、繰り返して使用することができる。
【図面の簡単な説明】
【０００８】
【図１】本発明の好適な実施例に係る加熱用袋を示す概略斜視図であり、放圧用開口部が閉じた状態を示す。
【図２】実施例の加熱用袋を示す概略斜視図であり、放圧用開口部が開いた状態を示す。
【図３】実施例の加熱用袋を、図１と別の向きで示す概略斜視図であり、物品用開口部が開いた状態を示す。
【図４】実施例の加熱用袋を構成するシートを示す断面図である。
【図５】実施例の加熱用袋において内開きチャックを示す断面図であり、(ａ)は内開きチャックが閉じた状態であり、(ｂ)は内開きチャックの内側にシートが離れるような力が加わった場合であり、(ｃ)は内開きチャックの外側にシートが離れるような力が加わった場合である。
【図６】実施例の加熱用袋において外開きチャックを示す断面図であり、(ａ)は外開きチャックが閉じた状態であり、(ｂ)は外開きチャックの内側にシートが離れるような力が加わった場合であり、(ｃ)は外開きチャックの外側にシートが離れるような力が加わった場合である。
【図７】変更例のチャックを示す断面図である。
【発明を実施するための形態】
【０００９】
次に、本発明に係る加熱用袋につき、好適な実施例を挙げて、添付図面を参照して以下に説明する。
【実施例】
【００１０】
図１〜図３に示すように、実施例に係る加熱用袋１０は、袋状に構成されたシート１２からなる袋本体１４と、袋本体１４に設けられた開口部１６,１８を開閉可能なチャック２０,２２とを備えている。加熱用袋１０は、チャック２０,２２を閉じることで、袋本体１４の内側の収納空間１４ａを封止し得るようになっている。加熱用袋１０は、袋本体１４の一辺に形成された放圧用開口部１６に設けられた内開きチャック２０と、袋本体１４の一辺と異なる(実施例では反対側)の他辺に形成された物品用開口部１８に設けられた外開きチャック２２とを備えている。加熱用袋１０は、袋本体１４の収納空間１４ａに対して、物品Ｍを物品用開口部１８から出し入れし、電子レンジ等での加熱に伴って上昇する収納空間１４ａの内圧を放圧用開口部１６から外方へ逃がすように構成されている。
【００１１】
図１〜図３に示すように、袋本体１４は、シート１２を袋状に形成したものであり、実施例のように向かい合わせた２枚のシート１２の縁をシールした態様（ボトムシール袋等）や、１枚のシート１２を折り曲げて向かい合わせた縁をシールする態様（サイドシール袋等）や、合掌状に向かい合わせたシート１２の縁をシールした所謂背貼り部を有する態様（ピロー袋等）などから選択することができる。また、袋本体１４は、実施例のような平袋あるいはマチを有するガセット袋などの形態であってもよく、その形状も実施例のような矩形状に限らず、収納される物品Ｍや用途などに応じて適宜形状にすることができる。実施例の袋本体１４は、熱による溶着や接着剤による接着等によりシート１２同士を接合することで形成されるシール部１５ａ,１５ｂを備えており、矩形状の袋本体１４において並行する一方の組の縁辺全体に亘って第１シール部１５ａが形成されている。また、袋本体１４は、該袋本体１４において並行する他方の組の縁辺のうちの片方に、該縁辺全体よりも小さい範囲に延在するように第２シール部１５ｂが形成され、残りの片方にシール部１５ａ,１５ｂが設けられていない。そして、袋本体１４は、向かい合うシート１２,１２同士におけるシールされていない部分が開口部１６,１８になっており、物品用開口部１８が、袋本体１４の縁辺全体に亘って開口しているのに対して、放圧用開口部１６が、袋本体１４の縁辺全体よりも小さい範囲（実施例では約半分）で開口している。このように、放圧用開口部１６は、物品用開口部１８よりも小さく形成することが好ましい。
【００１２】
シート１２は、収納空間１４ａに収納した物品Ｍを保存する都合上、通気性、透湿性および通水性がないまたは小さいものが望ましい。図４に示すように、シート１２は、ポリエチレンやポリプロピレンなどのポリオレフィン系樹脂からなる発泡体層２４を少なくとも備えている。なお、ポリオレフィン系樹脂としては、耐熱性に優れていることからポリプロピレン系樹脂が好ましい。発泡体層２４は、衝撃を吸収し得ることから軟質発泡体で構成することが好ましく、セル(気泡)が互いに繋がっている連続気泡構造またはセルが互いに繋がっていない独立気泡構造の何れでもよいが、収納空間１４ａに収納した物品Ｍを保護するうえで連続気泡構造の方が好ましい。発泡体層２４は、セル径が３００μｍ以下、より好適には５０μｍ〜３００μｍの発泡体で構成することが好ましく、このようにセル径が細かいことで断熱性を向上させることができる。発泡体層２４は、その密度が４０ｋｇ／ｍ３〜６０ｋｇ／ｍ３の範囲にあることが好ましく、このような範囲の発泡体層２４のシート１２であると軽量でかつ断熱性が優れている等、加熱用袋１０として好適である。発泡体層２４は、熱伝導率０．０４０ｗ／（ｍ・ｋ）以下、より好適には０．０２６ｗ／（ｍ・ｋ）〜０．０４０ｗ／（ｍ・ｋ）の発泡体で構成することが好ましく、このように断熱性が優れていることで、加熱した際に加熱用袋１０自体が熱くなり難く、かつ収納した物品Ｍが冷め難くなる。
【００１３】
発泡体層２４は、発泡剤として二酸化炭素や窒素などを用いた超臨界ガス発泡法によって得られる発泡体を用いることが特に好ましい。前述した二酸化炭素等を発泡剤として用いた発泡体は、アゾ化合物等の有機発泡剤や炭酸アンモニウム等の無機発泡剤などと比べて、揮発性有機化合物(ＶＯＣ)などが少なくクリーンであることから、特に物品Ｍとして食品を収納する加熱用袋１０に適用するとよい。そして、超臨界ガス発泡法により得られる発泡体は、前述した発泡体層２４として好ましい物性を併有させることができるので、加熱用袋１０として好適である。
【００１４】
シート１２は、発泡体層２４のみの単層構造であってもよいが、図４に示すように、発泡体層２４に加えて、シート１２において強度向上や断熱性や通気性などの所定機能を発揮する機能層２６を備える積層構造であることが好ましい。機能層２６としては、例えば、ソリッドタイプの合成樹脂および紙などの中から１つまたは複数選択して用いることができる。ソリッドタイプの合成樹脂としては、例えば、ラミネート性の良いポリプロピレン(例えば低融点ポリプロピレン)やガスバリヤ性の良いポリ塩化ビニリデン(所謂サラン樹脂)などのフィルムを発泡体層２４にラミネートして、引裂強度を向上させたり、ガスバリヤ性を高めたり、シリコーン樹脂などを発泡体層２４にコーティングしたりするなど、要求される機能に応じて適宜選択される。紙としては、例えば、シリコーン樹脂等がコーティングされた紙など、要求される機能に応じて適宜選択される。実施例では、機能層２６が発泡体層２４の内側に積層され、実施例の袋本体１４は、発泡体層２４が加熱用袋１０の外面を構成するように配置され、機能層２６が加熱用袋１０の内面を構成するように配置されている。
【００１５】
図４に示すように、発泡体層２４は、他の部分よりも樹脂密度が高いスキン層２４ａを備えていることが好ましい。スキン層２４ａは、発泡体層２４の表面に形成され、実施例では、発泡体層２４の内面がスキン層２４ａになっており、スキン層２４ａに機能層２６が積層されている。このように、スキン層２４ａに機能層２６を積層することで、発泡体層２４と機能層２６とを接合する接着剤が発泡体層２４に含浸し難くなったり、コーティングにより得られる機能層２６の厚みを一定にし易くなったり、機能層２６を積層するうえで様々なメリットがある。
【００１６】
内開きチャック２０は、該内開きチャック２０を挟んで袋本体１４の内側から力を加えて該内開きチャック２０を開くときの内側開放力が、該内開きチャック２０を挟んで袋本体１４の外側から力を加えて該内開きチャック２０を開くときの外側開放力よりも小さくなるように構成されている。すなわち、内開きチャック２０は、放圧用開口部１６が収納空間１４ａ側から開き易いのに対して、放圧用開口部１６の外側から開き難くなっている。これに対して、外開きチャック２２は、該外開きチャック２２を挟んで袋本体１４の外側から力を加えて該外開きチャック２２を開くときの外側開放力が、該外開きチャック２２を挟んで袋本体１４の内側から力を加えて該外開きチャック２２を開くときの内側開放力よりも小さくなるように構成されている。すなわち、外開きチャック２２は、物品用開口部１８の外側から開き易いのに対して物品用開口部１８が収納空間１４ａ側から開き難くなっている。なお、加熱用袋１０は、チャック２０,２２を開放する際に要する力よりも、袋本体１４のシール強度およびシート１２の引裂強度が大きく設定されている。
【００１７】
図５および図６に示すように、内開きチャック２０および外開きチャック２２は、雄・雌の係合構造である基本的な構成が共通している。具体的には、チャック２０,２２は、開口部１６,１８において対向する一方のシート１２に、開口部１６,１８の開口縁に沿う方向(開口部１６,１８における袋本体１４の内外方向と交差する方向)へ延在するように設けられた雄形状の係止部２８と、開口部１６,１８において対向する他方のシート１２に、開口部１６,１８の開口縁に沿う方向へ延在するように設けられた雌形状の係止受部３０とから構成されている。係止部２８は、一方のシート１２から他方のシート１２に向けて延出する雄側延出部３２の先端に、開口部１６,１８において袋本体１４の内外方向へ互いに離れる向きに突出する一対の係止爪３４ａ,３４ｂを有している。係止受部３０は、開口部１６,１８において袋本体１４の内外方向に離れて離して配置され、他方のシート１２から一方のシート１２に向けて延出する一対の雌側延出部３６ａ,３６ｂによって、一方のシート１２に開口する凹状に形成されている。一対の雌側延出部３６ａ,３６ｂの先端のそれぞれには、相手側へ向けて突出する受爪３８ａ,３８ｂが設けられており、係止受部３０は、互いに近づく向きに突出する一対の受爪３８ａ,３８ｂ(雌側延出部３６ａ,３６ｂ)の間に係止部２８が係脱するようになっている。
【００１８】
より具体的には、図５および図６に示すように、チャック２０,２２は、一対の受爪３８ａ,３８ｂの間に係止部２８が嵌まると、一対の係止爪３４ａ,３４ｂのうち袋本体１４の内側に向けて突出する内係止爪３４ａと、一対の受爪３８ａ,３８ｂのうち袋本体１４の外側に向けて突出する内受爪３８ａとが引っ掛かる。また、チャック２０,２２は、一対の係止爪３４ａ,３４ｂのうち袋本体１４の外側に向けて突出する外係止爪３４ｂと、一対の受爪３８ａ,３８ｂのうち袋本体１４の内側に向けて突出する外受爪３８ｂとが引っ掛かる。このように、チャック２０,２２は、内側の爪３４ａ,３８ａ同士が引っ掛かると共に外側の爪３４ｂ,３８ｂ同士が引っ掛かることで、係止部２８が係止受部３０から抜け止めされて、開口部１６,１８を封止する。
【００１９】
図５に示すように、内開きチャック２０は、内係止爪３４ａと内受爪３８ａとの引っ掛かりが、外係止爪３４ｂと外受爪３８ｂとの引っ掛かりよりも外れ易く構成されている。図６に示すように、外開きチャック２２は、外係止爪３４ｂと外受爪３８ｂとの引っ掛かりが、内係止爪３４ａと内受爪３８ａとの引っ掛かりよりも外れ易く構成されている。このように、内開きチャック２０と外開きチャック２２とは、内側の爪３４ａ,３８ａ同士の引っ掛かりと外側の爪３４ｂ,３８ｂ同士の引っ掛かりの強弱関係が逆になっており、実施例では、内開きチャック２０と外開きチャック２２とが同一の構成要素を有しているが、互いに内外方向に対称な関係で構成要素が配置されている。
【００２０】
一方の爪３４ａ,３８ａ(３４ｂ,３８ｂ)同士の引っ掛かりが他方の爪３４ｂ,３８ｂ(３４ａ,３８ａ)同士の引っ掛かりよりも外れ易くなる構成としては、例えば、以下のような様々なものを、１つまたは複数組み合わせて採用することができる。実施例では、一方の爪３４ａ,３８ａ(３４ｂ,３８ｂ)同士が引っ掛かった際のかかり代を、他方の爪３４ｂ,３８ｂ(３４ａ,３８ａ)同士が引っ掛かった際のかかり代よりも小さくする構成とすることで、一方の爪３４ａ,３８ａ(３４ｂ,３８ｂ)同士の引っ掛かりが他方の爪３４ｂ,３８ｂ(３４ａ,３８ａ)同士の引っ掛かりよりも外れ易くしている(図５および図６参照)。また、一方の爪３４ａ,３８ａ(３４ｂ,３８ｂ)を、延出部３２,３６ａ(３２,３６ｂ)に対して鈍角になるように形成するまたは爪３４ａ,３８ａ(３４ｂ,３８ｂ)自体を円弧状に形成し、他方の爪３４ｂ,３８ｂ(３４ａ,３８ａ)を、延出部３２,３６ｂ(３２,３６ａ)に対して鋭角になるように形成する構成とすることで、一方の爪３４ａ,３８ａ(３４ｂ,３８ｂ)同士の引っ掛かりが他方の爪３４ｂ,３８ｂ(３４ａ,３８ａ)同士の引っ掛かりよりも外れ易くしている(図５および図６参照)。更に、一方の受爪３８ａ(３８ｂ)が設けられた延出部３６ａ(３６ｂ)を、他方の受爪３８ｂ(３８ａ)が設けられた延出部３６ｂ(３６ａ)よりもシート１２の変形に連動し易くすることで、一方の爪３４ａ,３８ａ(３４ｂ,３８ｂ)同士の引っ掛かりが他方の爪３４ｂ,３８ｂ(３４ａ,３８ａ)同士の引っ掛かりよりも外れ易くしている(図５および図６参照)。更にまた、他方の受爪３８ｂ(３８ａ)が設けられた延出部３６ｂ(３６ａ)を、一方の受爪３８ａ(３８ｂ)が設けられた延出部３６ａ(３６ｂ)よりも細くする等により撓み易くすることで、一方の爪３４ａ,３８ａ(３４ｂ,３８ｂ)同士の引っ掛かりが外れた際に、他方の爪３４ｂ,３８ｂ(３４ａ,３８ａ)同士の引っ掛かりも外れ易くしている(図５および図６参照)。
【００２１】
加熱用袋１０は、電子レンジ等で加熱された際に、収納した物品Ｍから生じた水蒸気や内部空気の加熱・膨張によって内圧が上昇すると、内開きチャック２０および外開きチャック２２の内側において対向するシート１２,１２が互いに離れるように膨らむ。これにより、内開きチャック２０は、シート１２に内側から引っ張られて、内受爪３８ａが外受爪３８ｂから離れるように変位し、内受爪３８ａと内係止爪３４ａとのかかり代が小さく、また内受爪３８ａと内係止爪３４ａとのかかり面が鈍角になっているので、内受爪３８ａと内係止爪３４ａとが外れる(図５(ｂ)参照)。しかも、外受爪３８ｂが設けられた外雌側延出部３６ｂが内雌側延出部３６ａよりも細く形成されて撓み易いので、外受爪３８ｂと外係止爪３４ｂとが外れて、内開きチャック２０が開き、開口した放圧用開口部１６から水蒸気が外方へ放出されることになる。一方、外開きチャック２２は、シート１２に内側から引っ張られて内受爪３８ａが外受爪３８ｂから離れるように変位しても、内受爪３８ａと内係止爪３４ａとのかかり代が大きく、また内受爪３８ａと内係止爪３４ａとのかかり面が鋭角になっているので、内受爪３８ａと内係止爪３４ａとが外れ難い(図６(ｂ)参照)。しかも、外受爪３８ｂが設けられた外雌側延出部３６ｂが内雌側延出部３６ａよりも太く形成されて撓み難いので、外受爪３８ｂおよび外係止爪３４ｂの引っ掛かりも外れ難い。従って、内開きチャック２０が開いても、外開きチャック２２が開かず、加熱時に加熱用袋１０から内圧を逃がす場所を放圧用開口部１６だけにすることができる。
【００２２】
物品Ｍを出し入れするときは、外開きチャック２２の外側に延出するシート１２を互いに離すように引っ張ることで、外開きチャック２２の外受爪３８ｂが内受爪３８ａから離れるように変位し、外受爪３８ｂと外係止爪３４ｂとのかかり代が小さく、また外受爪３８ｂと外係止爪３４ｂとのかかり面が鈍角になっているので、外受爪３８ｂと外係止爪３４ｂとが外れる(図６(ｃ)参照)。このように、外開きチャック２２は、外側から簡単に開くことができる。従って、加熱用袋１０は、物品Ｍを出し入れする物品用開口部１８に、外側から開け易い外開きチャック２２を設けることで、物品用開口部１８から物品Ｍを出し入れし易くできる。
【００２３】
前述した加熱用袋１０によれば、例えば餅などを加熱した際に水蒸気を発する物品Ｍ等を収納しても、加熱による収納空間１４ａの内圧上昇によって内開きチャック２０が開いて内圧を逃すので、加熱用袋１０の破裂を防止することができる。そして、内開きチャック２０を閉じれば、加熱用袋１０を繰り返し使用することができる。加熱用袋１０は、内開きチャック２０によって加熱時の内圧上昇を制御できるので、チャック２０,２２を閉じた際に収納空間１４ａを密封する構造とすることができ、収納空間１４ａに収納された物品Ｍの保存性に優れている。
【００２４】
爪係合構造の内開きチャック２０は、外側の爪同士の引っ掛かりよりも内側の爪同士の引っ掛かりが外れ易い簡単な構成で、加熱時に上昇した内圧を適切に逃がすことができ、例えば汎用品を流用して用いることも可能である。従って、加熱用袋１０は、加熱時の破裂防止構造を有していても、コストを抑えることができる。しかも、加熱用袋１０は、チャック２０,２２を開閉可能であるから繰り返し使用でき、経済的である。
【００２５】
内開きチャック２０を、外開きチャック２２よりも短くすることで、加熱した際に上昇した圧力を効率よく内開きチャック２０に加えることができ、内開きチャック２０を適切に開放させることができる。
【００２６】
加熱用袋１０は、発泡体層２４に加えて、所要の機能層２６を備えていることで、機能層２６によってシート１２に適当な機能を付与することができる。例えば、引裂強度に劣る発泡体層２４に、引裂強度に優れたフィルム等からなる機能層２６を積層することで、シート１２の強度を向上させることができる。また、通気性を有する発泡体層２４に、通気性がないフィルム等の機能層２６を積層することで、シート１２がガスバリヤ性を有することになり、収納した物品Ｍの保存性を向上することができる。
【００２７】
加熱用袋１０は、シート１２に発泡体層２４を有しているので断熱性に優れている。従って、加熱時に収納した物品Ｍを効率よく加熱することができ、加熱された物品Ｍを冷め難くすることができる。しかも、加熱用袋１０自体が熱くなり難いので、加熱後に触っても安全である。
【００２８】
（変更例）
前述した実施例の構成に限らず、例えば以下のように変更してもよい。
(１)開き易い向きのあるチャックの構成は、実施例に限らず、他の構成を採用可能である。例えば、図７に示すように、変更例のチャック２０(２２)は、雌型の係止受部３０における雌側延出部３６ａ,３６ｂが、それぞれ、シート１２の面の垂直な方向に対して斜めとなるようにシート１２から突出する構成であってもよい。なお、図７において、実施例と同様の構成には、実施例と同じ符号を付し、説明を省略する。
【００２９】
(２)物品用開口部を放圧用開口部と兼用する構成であってもよい。この場合、放圧用開口部から物品を出し入れし、放圧用開口部を開く際には内開きチャックの内側からシートを引っ張る、または、内開きチャックの内側開放力よりも大きな力で外側から開けるように設定すれば、内開きチャックを開放することができる。
(３)開口部の位置は、袋本体の縁辺に限らず、例えば、袋本体の胴部分や背貼り部などに設けてもよい。そして、開口部に対応してチャックを設ければよい。
【符号の説明】
【００３０】
１２ シート，１４ 袋本体，１６ 放圧用開口部(開口部)，
１８ 物品用開口部(別の開口部)，２０ 内開きチャック，２２ 外開きチャック，
２４ 発泡体層，２６ 機能層，２８ 係止部，３０ 係止受部，３４ａ 内係止爪，
３４ｂ 外係止爪，３８ａ 内受爪，３８ｂ 外受爪，Ｍ 物品
【図１】
2019206367.tif 000003
【図２】
2019206367.tif 000004
【図３】
2019206367.tif 000005
【図４】
2019206367.tif 000006
【図５】
2019206367.tif 000007
【図６】
2019206367.tif 000008
【図７】
2019206367.tif 000009